(57)【要約】【課題】密封されたハウジング内外の気圧差を解消しかつ防水できる回転機を提供する。【解決手段】ハウジング５の一部に内外を連通する貫通孔２５が設けられ、該貫通孔２５を覆って通気を許容し水分の侵入を遮断する通気性シール材２６が設けられている。【選択図】図２
2008259369.tif 000002
【特許請求の範囲】
【請求項１】
ハウジング内に固定子と回転子が収納されて当該ハウジングがシールされた密封構造を有する回転機であって、
ハウジングの一部に内外を連通する貫通孔が設けられ、該貫通孔を覆って通気を許容し水分の侵入を遮断する通気性シール材が設けられている回転機。
【請求項２】
ハウジングの一部に段付凹部が形成され、該段付凹部に設けられた貫通孔を覆って通気性シール材が貼着されている請求項１記載の回転機。
【発明の詳細な説明】
【技術分野】
【０００１】
本発明は、例えば、ショーケースや収納庫などの温度差により結露が発生し易い環境下で駆動源として使用される誘導電動機などの回転機に関する。
【背景技術】
【０００２】
回転機の一例として誘導電動機について説明する。誘導電動機は、固定子コイルに交流電流を流して固定子に形成される回転磁界により回転子に誘導電流が流れる。この誘導電流と固定子に発生する回転磁界との間に働く電磁力により回転トルクが発生する。
誘導電動機が、例えばショーケースや収納庫などの温度差により結露が発生し易い環境下やぬれ易い現場などで駆動源として使用される場合、防水構造を備えている必要がある。
【０００３】
誘導電動機はハウジング内に固定子と回転子が収納されて当該ハウジングがシールされた密封構造を有する。この誘導電動機において、回転子軸と深溝玉軸受け（ベアリング）との隙間を通じて進入する水分、油分、塵などを防ぐため、環状のオイルシールが回転子軸に接触してハウジングに嵌め込まれる。また、ハウジング内外の温度差が生じハウジング内が負圧になると、シール部の隙間を通じて外部から、水、水蒸気、粉塵などの不純物を含む空気が進入するおそれがある。このため、ブラケットの一部に貫通孔を設け、開口部にチューブを通じてモータから離れた場所で大気開放することでハウジング内外の気圧差を適正に保つ誘導電動機が提案されている（特許文献１参照）。
【特許文献１】実用新案登録第３１０１４１９号公報
【発明の開示】
【発明が解決しようとする課題】
【０００４】
しかしながら、環状のオイルシールはベアリングとは別の箇所でハウジングに嵌め込まれるので誘導電動機の軸方向の長さが長くなり小型化し難くなるうえに、オイルシールは回転子軸に接触して設けられるため接触抵抗となってモータを回転駆動する際に摩擦負荷が作用し、損失が増えてモータ効率が低下する。また、ブラケットに設けられた貫通孔にチューブを接続するとしても、温度差によりチューブ内に結露が生じた場合には、水分がハウジング内に侵入するおそれがあることにかわりがない。
【０００５】
本発明は上記課題を解決すべくなされたものであり、その目的とするところは、密封されたハウジング内外の気圧差を解消しかつ防水できる回転機を提供することにある。
【課題を解決するための手段】
【０００６】
本発明は上記目的を達成するため、次の構成を備える。
ハウジング内に固定子と回転子が収納されて当該ハウジングがシールされた密封構造を有する回転機であって、ハウジングの一部に内外を連通する貫通孔が設けられ、該貫通孔を覆って通気を許容し水分の侵入を遮断する通気性シール材が設けられていることを特徴とする。
また、ハウジングの一部に段付凹部が形成され、該段付凹部に設けられた貫通孔を覆って通気性シール材が貼着されていることを特徴とする。
【発明の効果】
【０００７】
上述した回転機を用いれば、ハウジングの一部に内外を連通する貫通孔が設けられ、該貫通孔を覆って通気を許容し水分の侵入を遮断する通気性シール材が設けられている。よって、モータの発熱と冷却によりハウジング内外の気圧差が発生しても、通気性シールを通じて気圧差を解消でき、かつハウジング内への水分の侵入を防ぐことができる。
また、ハウジングの一部に段付凹部が形成され、該段付凹部に設けられた貫通孔を覆って通気性シール材が貼着されていると、通気性シール材がハウジング外形より突出することがないため剥がれ難いうえに、段付部が接着剤を塗布するスペースとして利用でき、位置ずれなく貼り付けることができる。
【発明を実施するための最良の形態】
【０００８】
以下、本発明に係る回転機の最良の実施形態について、添付図面を参照しながら説明する。本実施例では、回転機の一例として電動機を例示して説明する。
【０００９】
電動機の概略構成について図１及び図２を参照して説明する。図２において、回転子１は回転子軸２に回転子マグネット３が組み付けられている。回転子マグネット３は磁性体（フェライトなど）を含む樹脂材料により回転子軸２と一体に成形され、周方向にＮ・Ｓ極に着磁されている。尚、誘導電動機の場合、回転子１としては、マグネットに代えて回転子軸２に回転子かごが組み付けられたものでもよい。回転子かごは固定子により形成される磁界と直交する向きに導体棒が一定間隔で円周上に並べられ両端が導体リングで連結されたものが用いられる。
電動機の回転子軸２は第１ハウジング５及び第２ハウジング６（モータハウジング）に嵌め込まれた第１、第２深溝玉軸受け部（ボールベアリング）７、８によって回転可能に支持されている。モータハウジングは、アルミダイカストなどにより成形された非磁性の金属材が用いられる。回転子軸２の一端側は第１ハウジング５より上方へ突出して設けられ、他端側は第２ハウジング６に支持された第２ボールベアリング８に支持されている。第２ボールベアリング８は止め輪により軸方向に位置決め固定されている。尚、第１、第２ボールベアリング７、８には公知のシールベアリングが好適に用いられる。
【００１０】
固定子４は、リング状に形成され径方向内部に向かってティース部９が形成された固定子コア（例えば積層コア）１０を備えている。固定子コア１０のティース部９にはインシュレータ１１を介して固定子コイル１２が巻き付けられている。固定子コア１０は第１、第２ハウジング５、６の段付部に挟み込まれて組み付けられる。第１ハウジング５及び第２ハウジング６は４箇所でねじ２３により一体に組み付けられる（図１参照）。
【００１１】
モータハウジングの防水構造について説明する。
図２において、モータハウジングは第１ハウジング５と第２ハウジング６との隙間がシール材１３によってシールされている（図２参照）。また、回転子軸２が突設される第１ハウジング５との軸孔に形成される隙間の防水構造が必要になる。防水構造を考える部位の第１番目は、回転子軸２と第１ボールベアリング７の隙間、第２番目は第１ボールベアリング７自体、第３番目は第１ボールベアリング７と第１ハウジング５との隙間である。これらのうち、第１番目については回転子軸２と第１ボールベアリング７の隙間はシール部材１５によってシールされている。また、第２番目については第１ボールベアリング７がシールベアリングであることによりシール性が確保されている。また、第３番目については、第１ハウジング５の内壁面に設けられたＯリング１４によってシール性が確保されている。
【００１２】
また、第１ハウジング５の一部には段付凹部２４が形成されている。この段付凹部２４には貫通孔２５が設けられている。この貫通孔２５を覆って通気性シール材２６が貼着されている。通気性シール材２６は例えば４フッ化エチレン樹脂（ＰＴＦＥ）系の多硬質膜が好適に用いられる。この通気性シール材２６は、少なくとも防水性、防塵性、通気性を有するうえに、撥水性、耐熱性、耐候性などの特性を有し、ハウジング内外の通気を許容し水分の侵入を遮断する。
【００１３】
上述した電動機を用いれば、ハウジングの一部に内外を連通する貫通孔２５が設けられ、該貫通孔２５を覆って通気を許容し水分の侵入を遮断する通気性シール材２６が設けられている。よって、モータの発熱と冷却によりハウジング内外の気圧差が発生しても、通気性シール２６を通じて気圧差を解消でき、かつハウジング内への水分の侵入を防ぐことができる。
また、第１ハウジング５の一部に段付凹部２４が形成され、該段付凹部２４に設けられた貫通孔２５を覆って通気性シール材２６が貼着されているので、通気性シール材２６がハウジング外形より突出することがないため剥がれ難いうえに、段付部が接着剤を塗布するスペースとして利用でき、位置ずれなく貼り付けることができる。
【００１４】
また、回転子軸２は、第１ハウジング５の外側へのみ延出しているが、第２ハウジング６の外側へ延出するようにしてもよい。この場合には、第１ボールベアリング７側と同様に回転子軸２と第２ボールベアリング８との隙間にシール部材１５を圧入する必要がある。
また、貫通孔２５及び通気性シール２６を設ける位置は、第１ハウジング５側に限らず第２ハウジング６側であってもよい。また、回転機としては、誘導電動機、同期機などの電動機に限らず、発電機などであってもよい。
【図面の簡単な説明】
【００１５】
【図１】電動機の平面図である。
【図２】電動機の半断面図である。
【符号の説明】
【００１６】
１  回転子
２  回転子軸
３  回転子マグネット
４  固定子
５  第１ハウジング
６  第２ハウジング
７  第１ボールベアリング
８  第２ボールベアリング
９  ティース部
１０  固定子コア
１１  インシュレータ
１２  固定子コイル
１３  シール材
１４  Ｏリング
１５  シール部材
２３  ねじ
２４  段付凹部
２５  貫通孔
２６  通気性シール材
【図１】
2008259369.tif 000003
【図２】
2008259369.tif 000004